(57)【要約】【課題】小型化や薄型化した場合でも所望のノイズ抑制効果が得られるケーブルを提供するものである。【解決手段】ケーブル１００は、導電性を有し互いに間隔をあけて並列に配列された複数本の芯線１１０と、これらの芯線１１０の周囲を覆う絶縁体からなる絶縁部１３０とを備えるケーブルにおいて、隣り合う芯線１１０間に配置され、芯線１１０とともに周囲を絶縁部１３０に覆われたノイズ抑制体１２０を有し、ノイズ抑制体１２０は扁平状磁性粉末１２０ａを含有する合成樹脂材で形成されていることを特徴とする。【選択図】図１
2014116071.tif 000002
【特許請求の範囲】
【請求項１】
導電性を有し互いに間隔をあけて並列に配列された複数本の芯線と、これらの芯線の周囲を覆う絶縁体からなる絶縁部とを備えるケーブルにおいて、
隣り合う前記芯線間に配置され、前記芯線とともに周囲を前記絶縁部に覆われたノイズ抑制体を有し、
前記ノイズ抑制体は扁平状磁性粉末を含有する合成樹脂材で形成されていることを特徴とするケーブル。
【請求項２】
前記ノイズ抑制体に含まれる前記扁平状磁性粉末は、前記ノイズ抑制体が隣接する２本の前記芯線のそれぞれの中心を結ぶ方向に層を成すように配向していることを特徴とする請求項１に記載のケーブル。
【請求項３】
前記ノイズ抑制体は、前記扁平状磁性粉末を含有する合成樹脂材がシート状に加工された磁性体シートを短冊状に切断することで形成され、前記扁平状磁性粉末が前記磁性体シートの厚み方向に層を成すように配向されていることを特徴とする請求項１および請求項２に記載のケーブル。
【請求項４】
複数の前記芯線と複数の前記ノイズ抑制体を同一平面上に配置し、帯状に形成されていることを特徴とする請求項１ないし請求項３に記載のケーブル。
【請求項５】
前記絶縁部の一面と前記一面に対向する他面とを前記磁性体シートで被覆したことを特徴とする請求項４に記載のケーブル。
【請求項６】
複数の前記芯線と複数の前記ノイズ抑制体を同一円筒の外周に沿うように交互に配置し、紐状に形成されていることを特徴とする請求項１ないし請求項３に記載のケーブル。
【請求項７】
前記絶縁部の外周を前記磁性体シートで被覆したことを特徴とする請求項６に記載のケーブル。
【発明の詳細な説明】
【技術分野】
【０００１】
本発明は、通信に用いるケーブルに関し、特に、小型化してもノイズの影響を受けにくいケーブルに関するものである。
【背景技術】
【０００２】
昨今、信号を送信・受信する速度が高速化するに従い、ケーブルから出入りする電磁波にたいするＥＭＣ（Ｅｌｅｃｔｒｏ−Ｍａｇｎｅｔｉｃ  Ｃｏｍｐａｔｉｂｉｌｉｔｙ、電磁両立性）や、信号間のクロストークの問題が取り上げられている。
【０００３】
ＥＭＣやクロストークの問題を解決する為に、ノイズ抑制効果のある磁性体などが組み込まれたケーブルが求められている。
【０００４】
磁性体などが組み込まれたケーブルとしては、下記の特許文献１ないし特許文献３に記載のケーブルが知られている。
【０００５】
以下、図１１を用いて特許文献１ないし特許文献３に記載のケーブルについて概要を説明する。なお、図１１（ａ）は特許文献１に記載のケーブルＣ１を長さ方向に沿って切断した断面を示す図であり、図１１（ｂ）は特許文献２に記載のケーブルＣ２の断面を示す図であり、図１１（ｃ）は特許文献３に記載のケーブルＣ３の外観を示す図である。
【０００６】
特許文献１に記載のケーブルＣ１は、図１１（ａ）に示すような、導電性を有し外周を絶縁物で被覆された芯線Ｗ１に沿って複数個の磁性体ＭＧが間隔をあけて配置された構造をしている。特許文献２に記載のケーブルＣ２は、図１１（ｂ）に示すような、外周を絶縁物Ｉ１で被覆した金属箔ＭＳ１の両面に導電性を有する芯線Ｗ２を配置した構造をしている。特許文献３に記載のケーブルＣ３は、図１１（ｃ）に示すような、並列に配置され導電性を有し外周を絶縁物Ｉ２で被覆された芯線Ｗ３と芯線Ｗ３との間に金属箔ＭＳ２を挟んだ構造をしている。
【先行技術文献】
【特許文献】
【０００７】
【特許文献１】特開２００９−２２４０７３号公報
【特許文献２】特開平６−１１１６３４号公報
【特許文献３】特開平５−０２８８４０号公報
【発明の概要】
【発明が解決しようとする課題】
【０００８】
特許文献１に記載のケーブルＣ１、特許文献２に記載のケーブルＣ２または特許文献３に記載のケーブルＣ３を使用することで、高速通信を行なった場合でもノイズ抑制効果が得られる。
【０００９】
しかしながら、特許文献１ないし特許文献３に記載のケーブルは薄型化や小径化した場合に、所望するノイズ抑制効果が十分に得られなくなるという課題がある。
【００１０】
本発明は、上述した課題を解決して、小型化や薄型化した場合でも所望のノイズ抑制効果が得られるケーブルを提供するものである。
【課題を解決するための手段】
【００１１】
請求項１に記載のケーブルは、導電性を有し互いに間隔をあけて並列に配列された複数本の芯線と、これらの芯線の周囲を覆う絶縁体からなる絶縁部とを備えるケーブルにおいて、隣り合う前記芯線間に配置され、前記芯線とともに周囲を前記絶縁部に覆われたノイズ抑制体を有し、前記ノイズ抑制体は扁平状磁性粉末を含有する合成樹脂材で形成されていることを特徴とする。
【００１２】
請求項２に記載のケーブルは、前記ノイズ抑制体に含まれる前記扁平状磁性粉末は、前記ノイズ抑制体が隣接する２本の前記芯線のそれぞれの中心を結ぶ方向に層を成すように配向していることを特徴とする。
【００１３】
請求項３に記載のケーブルは、前記ノイズ抑制体は、前記扁平状磁性粉末を含有する合成樹脂材をシート状に加工した磁性体シートを短冊状に切断することで形成され、前記扁平状磁性粉末が前記磁性体シートの厚み方向に層を成すように配向されていることを特徴とする。
【００１４】
請求項４に記載のケーブルは、複数の前記芯線と複数の前記ノイズ抑制体を同一平面上に配置し、帯状に形成されたことを特徴とする。
【００１５】
請求項５に記載のケーブルは、前記絶縁部の一面と前記一面に対向する他面とを前記磁性体シートで被覆したことを特徴とする。
【００１６】
請求項６に記載のケーブルは、複数の前記芯線と複数の前記ノイズ抑制体を同一円筒の外周に沿うように交互に配置し、紐状に形成されていることを特徴とする。
【００１７】
請求項７に記載のケーブルは、前記絶縁部の外周を前記磁性体シートで被覆したことを特徴とする。
【発明の効果】
【００１８】
請求項１の発明によれば、芯線と芯線との間にノイズ抑制体を配置することで、外部から侵入しケーブル１００を伝わる信号に対して悪影響を及ぼすノイズ（電磁波）や、ある芯線から発信されケーブル１００を伝わる信号に対して悪影響を及ぼすノイズをノイズ抑制体が吸収しノイズ抑制効果を得られ、扁平状磁性粉末を含有する合成樹脂材でノイズ抑制体を形成することで、従来の金属箔（磁性体）を使用したケーブルより薄くしても同等以上のノイズ抑制効果がえられ、ノイズ抑制効果を有した小型・薄型のケーブルを提供することができる、という効果を奏する。
【００１９】
請求項２の発明によれば、ノイズ抑制体に含まれる扁平状磁性粉末は、芯線の中心同士を結ぶ方向に層を成すように配向されている。そのため、粒状の磁性粉末を用いた場合に比較すると、芯線１１０の中心同士を結ぶ直線方向により確実に扁平状磁性粉末１２０ａが配置され、ケーブルを伝わる信号に対して悪影響を及ぼすノイズをより確実に抑制することができる、という効果を奏する。
【００２０】
請求項３の発明によれば、磁性体シートを短冊状に切断することで、容易にノイズ抑制体を形成することができる、という効果を奏する。
【００２１】
請求項４の発明によれば、ノイズ抑制効果を有し帯状に形成されたケーブルを提供することができる、という効果を奏する。
【００２２】
請求項５の発明によれば、さらに優れたノイズ抑制効果を有する帯状に形成されたケーブルを提供することができる、という効果を奏する。
【００２３】
請求項６の発明によれば、ノイズ抑制効果を有し紐状に形成されたケーブルを提供することができる、という効果を奏する。
【００２４】
請求項７の発明によれば、さらに優れたノイズ抑制効果を有する紐状に形成されたケーブルを提供することができる、という効果を奏する。
【図面の簡単な説明】
【００２５】
【図１】ケーブル１００の構造を示す断面図である。
【図２】ノイズ抑制体１２０の構成を示す図である。
【図３】扁平状磁性粉末１２０ａを説明するためのＳＥＭ写真である。
【図４】ドクターブレード法を用いた装置の一例を示す図である。
【図５】ノイズ抑制体１２０の断面の一例を示すＳＥＭ写真である。
【図６】ノイズ抑制体１２０（磁性体シート１４０）の磁性率磁気損失μ’’の特性を示すグラフである。
【図７】ケーブル２００の構造を示す断面図である。
【図８】ケーブル３００の構造を示す断面図である。
【図９】ノイズ抑制体１２０の構成を示す模式図である。
【図１０】ケーブル４００の構造を示す断面図である。
【図１１】特許文献１ないし特許文献３に記載のケーブルを示す図である。
【発明を実施するための形態】
【００２６】
［第１実施形態］
以下に、第１実施形態のケーブル１００について、図１ないし図６を用いて説明する。
図１は本実施形態のケーブル１００の構造を示す断面図である。図２はノイズ抑制体１２０の構成を示す模式図である。図３は扁平状磁性粉末１２０ａを説明するためのＳＥＭ写真で、図３（ａ）は粒状の磁性粉末の一例を示すＳＥＭ写真であり、図３（ｂ）は扁平状磁性粉末１２０ａの一例を示すＳＥＭ写真である。図４はドクターブレード法を用いた装置の一例を示す図である。図５はノイズ抑制体１２０の断面の一例を示すＳＥＭ写真である。図６はノイズ抑制体１２０（磁性体シート１４０）の磁性率磁気損失μ’’の特性を示すグラフである。
【００２７】
まず初めに、本実施形態のケーブル１００の構造について説明する。ケーブル１００は、図１に示すように、導電性を有した線材からなる芯線１１０と、扁平状磁性粉末１２０ａ（図３（ｂ）を参照）を含有し短冊状に形成されたノイズ抑制体１２０と、絶縁体からなる絶縁部１３０と、を備えている。
【００２８】
複数本の芯線１１０は同一平面上に間隔をあけて並列に配置され、芯線１１０と芯線１１０との間にはそれぞれノイズ抑制体１２０が芯線１１０と並列に配置されている。
【００２９】
配置された複数の芯線１１０とノイズ抑制体１２０との周囲は絶縁部１３０によって被覆され、帯状のケーブル１００として一体に形成される。
【００３０】
次に、構成部品について説明する。
【００３１】
芯線１１０は、図１に示すように、導電性を有した線材からなる。図１においては断面形状が円形の線材にしているが、断面形状が長方形などの多角形や楕円形状などでも良い。
【００３２】
絶縁部１３０は可撓性を有した絶縁物からなる。
【００３３】
ノイズ抑制体１２０は、図２に示すように、扁平状磁性粉末１２０ａを含有した合成樹脂材１２０ｂを短冊状に形成したものである。また、合成樹脂材１２０ｂは可撓性を有している。なお、図２においては、説明の都合上、扁平状磁性粉末１２０ａを規則性のある配置がされているように示している。
【００３４】
ここで、扁平状磁性粉末１２０ａについて図３を用いて説明する。
【００３５】
詳細の説明は割愛するが、扁平状磁性粉末１２０ａは、図３（ａ）に示すような、鉄を主成分とする材料、例えばパーマロイ（Ｆｅ−Ｎｉ合金）を用い、水アトマイズ法により作成された粒状の磁性粉末を分級して粒度を揃え、遊星撹拌型ボールミル等の装置を用いて、図３（ｂ）に示すような、扁平状の磁性粉末に加工したものである。
【００３６】
なお、扁平状に加工することで扁平状磁性粉末１２０ａの内部に内部応力を生じることもあるので、必要に応じて、内部応力を緩和させるためにアニール処理を施しても良い。
【００３７】
次に、ノイズ抑制体１２０の製造方法について簡単に説明する。
【００３８】
ノイズ抑制体１２０を製造するには、まず初めに、扁平状磁性粉末１２０ａを含有しシート状に形成された磁性体シート１４０を作成し、磁性体シート１４０を短冊状に裁断することで形成される。
【００３９】
磁性体シート１４０は次のようにして作られる。
【００４０】
扁平状磁性粉末１２０ａと、ノイズ抑制体１２０を構成する合成樹脂材１２０ｂとを含有し粘性を有した混合液ＳＬを、図４に示すようなドクターブレード法を用いた装置にて、基材ＣＴを矢印Ａ方向に引きながら、ブレードＢＬにより基材ＣＴ上に所定の厚さで塗布する。
【００４１】
このようにして基材ＣＴ上に所定の厚さで塗布された混合液ＳＬを加熱し乾燥させることにより、基材ＣＴ上に扁平状磁性粉末１２０ａと合成樹脂材１２０ｂとから構成される磁性体シート１４０が得られる。
【００４２】
このようにして製造された磁性体シート１４０内に含有される扁平状磁性粉末１２０ａは、図５に示すように、磁性体シート１４０の厚さ方向に層を成すように配向しており、磁性体シート１４０を裁断して作られるノイズ抑制体１２０に含有される扁平状磁性粉末１２０ａも同様に配向している。
【００４３】
扁平状の扁平状磁性粉末１２０ａが図５に示すように配向することで、磁性体シート１４０を面方向から見たときに扁平状磁性粉末１２０ａがより確実に隙間なく配置される。
【００４４】
ノイズ抑制体１２０は、ケーブル１００内に配置されたときに、図２に示すように、ノイズ抑制体１２０が隣接する２本の芯線１１０のそれぞれの中心を結ぶ方向に扁平状磁性粉末１２０ａが層を成すように配向するように配置される。
【００４５】
また、ノイズ抑制体１２０（磁性体シート１４０）の磁性率磁気損失μ’’は、図６に示すように、周波数帯が２０Ｍｈｚから１Ｇｈｚの範囲において、１５以上で変動が小さい特性を有している。この磁性率磁気損失μ”は、大きければ大きいほど電磁界エネルギーを熱に変換する効率が高く、ひいては電磁波を吸収する電磁波吸収特性が高くなる。
【００４６】
以下、本実施形態としたことによる効果について説明する。
【００４７】
本実施形態のケーブル１００では、導電性を有し互いに間隔をあけて並列に配列された複数本の芯線１１０と、これらの芯線１１０の周囲を覆う絶縁体からなる絶縁部１３０とを備え、隣り合う芯線１１０と芯線１１０との間に配置され、芯線１１０とともに周囲を絶縁部１３０に覆われたノイズ抑制体１２０を有し、ノイズ抑制体１２０は扁平状磁性粉末１２０ａを含有する合成樹脂材１２０ｂで形成されている。
【００４８】
これにより、芯線１１０と芯線１１０との間にノイズ抑制体１２０を配置することで、外部から侵入しケーブル１００を伝わる信号に対して悪影響を及ぼすノイズ（電磁波）や、ある芯線１１０から発信されケーブル１００を伝わる信号に対して悪影響を及ぼすノイズをノイズ抑制体１２０が吸収しノイズ抑制効果を得られ、扁平状磁性粉末１２０ａを含有する合成樹脂材１２０ｂでノイズ抑制体１２０を形成することで、従来の金属箔（磁性体）を使用したケーブルより薄くしても同等以上のノイズ抑制効果が得られ、ノイズ抑制効果を有した小型・薄型のケーブルを提供できる、という効果を奏する。
【００４９】
また、本実施形態のケーブル１００では、ノイズ抑制体１２０に含まれる扁平状磁性粉末１２０ａは、ノイズ抑制体１２０が隣接する２本の芯線１１０のそれぞれの中心を結ぶ方向に層を成すように配向している。
【００５０】
これにより、ノイズ抑制体１２０に含まれる扁平状磁性粉末１２０ａは、芯線１１０の中心同士を結ぶ方向に層を成すように配向されている。そのため、粒状の磁性粉末を用いた場合に比較すると、芯線１１０の中心同士を結ぶ直線方向により確実に扁平状磁性粉末１２０ａが配置され、ケーブルを伝わる信号に対して悪影響を及ぼすノイズをより確実に抑制することができる、という効果を奏する。
【００５１】
また、本実施形態のケーブル１００では、ノイズ抑制体１２０は、扁平状磁性粉末１２０ａを含有する合成樹脂材１２０ｂをシート状に加工した磁性体シート１４０を短冊状に切断することで形成され、扁平状磁性粉末１２０ａが磁性体シート１４０の厚み方向に層を成すように配向されている。
【００５２】
これにより、磁性体シート１４０を短冊状に切断することで、容易にノイズ抑制体１２０を形成することができる、という効果を奏する。
【００５３】
また、本実施形態のケーブル１００では、複数の芯線１１０と複数のノイズ抑制体１２０を同一平面上に配置し、帯状に形成される。
【００５４】
これにより、ノイズ抑制効果を有し帯状に形成されたケーブルを提供できる、という効果を奏する。
【００５５】
また、本実施形態のケーブル１００では、ノイズ抑制体１２０（磁性体シート１４０）の磁性率磁気損失μ’’は、周波数帯が２０Ｍｈｚから１Ｇｈｚの範囲において、１５以上である特性を有している。
【００５６】
これにより、高周波の信号を扱う通信機器や各種電子機器において問題となる高周波側のノイズを安定して遮蔽することができ、高周波の信号を扱う通信機器や各種電子機器のコネクタに好適に用いることができる。
【００５７】
また、本実施形態のケーブル１００では、磁性体シート１４０をドクターブレード法を用いた装置で作成している。
【００５８】
これにより、簡易な設備で均一な厚さの磁性体シート１４０を作成することができる。
【００５９】
［第２実施形態］
つづいて、以下に、第２実施形態のケーブル２００について、図７を用いて説明する。なお、説明するに当たり、本実施形態のケーブル２００では第１実施形態のケーブル１００と共通の部材を使用しているため、共通の部材に関しては第１実施形態で用いた名称および符号を用いるとともに、詳細の説明は割愛する。
【００６０】
図７は本実施形態のケーブル２００の構造を示す断面図である。
【００６１】
本実施形態のケーブル２００は、図７に示すように、第１実施形態のケーブル１００の一面と一面に対向する他面とを磁性体シート１４０で被覆したものである。
【００６２】
以下、本実施形態としたことによる効果について説明する。
【００６３】
本実施形態のケーブル２００では、ケーブル１００の一面と一面に対向する他面とを磁性体シート１４０で被覆している。
【００６４】
これにより、ケーブルを伝わる信号に悪影響を及ぼすノイズに対して、さらに優れたノイズ抑制効果を有する帯状に形成されたケーブル２００を提供できる。
【００６５】
［第３実施形態］
つづいて、以下に、第３実施形態のケーブル３００について、図８および図９を用いて説明する。なお、説明するに当たり、本実施形態のケーブル３００では第１実施形態のケーブル１００および第２実施形態のケーブル２００と共通の部材を使用しているため、共通の部材に関しては第１実施形態および第２実施形態で用いた名称および符号を用いるとともに、詳細の説明は割愛する。
【００６６】
図８は本実施形態のケーブル３００の構造を示す断面図である。図９はノイズ抑制体１２０の構成を示す模式図である。
【００６７】
まず初めに、本実施形態のケーブル３００の構造について説明する。ケーブル３００は、図８に示すように、導電性を有した線材からなる芯線１１０と、扁平状磁性粉末１２０ａ（図９を参照）を含有し短冊状に形成されたノイズ抑制体１２０と、絶縁体からなる絶縁部１３０と、を備えている。
【００６８】
ケーブル３００は、複数の芯線１１０と複数のノイズ抑制体１２０とを同一円筒の外周に沿うように交互に配置し、芯線１１０とノイズ抑制体１２０との周囲を絶縁部１３０で被覆するとともに紐状に一体に形成されている。
【００６９】
ノイズ抑制体１２０は、ケーブル３００内に配置されたときに、図９に示すように、ノイズ抑制体１２０が隣接する２本の芯線１１０のそれぞれの中心を結ぶ方向に扁平状磁性粉末１２０ａが層を成すように配向するように配置される。なお、図９においては、説明の都合上、扁平状磁性粉末１２０ａを規則性のある配置がされているように示している。
【００７０】
なお、図８においてはケーブル３００の断面形状を円形としたが、楕円形や多角形などの断面形状でも良い。
【００７１】
また、図８においては、芯線１１０およびノイズ抑制体１２０はそれぞれ４本だが、必要に応じてそれぞれの本数を変更しても良い。
【００７２】
以下、本実施形態としたことによる効果について説明する。
【００７３】
本実施形態のケーブル３００では、複数の芯線１１０と複数のノイズ抑制体１２０を同一円筒の外周に沿うように交互に配置し、紐状に形成されている。
【００７４】
これにより、ノイズ抑制効果を有し紐状に形成されたケーブル３００を提供できる。
【００７５】
また、本実施形態のケーブル３００では、ノイズ抑制体１２０が隣接する２本の芯線１１０のそれぞれの中心を結ぶ方向に扁平状磁性粉末１２０ａが層を成すように配向するように配置される構造としている。
【００７６】
これにより、ノイズ抑制体１２０に含まれる扁平状磁性粉末１２０ａは、芯線１１０の中心同士を結ぶ方向に層を成すように配向されている。そのため、粒状の磁性粉末を用いた場合に比較すると、芯線１１０の中心同士を結ぶ直線方向により確実に扁平状磁性粉末１２０ａが配置され、ケーブルを伝わる信号に対して悪影響を及ぼすノイズをより確実に抑制することができる、という効果を奏する。
【００７７】
［第４実施形態］
つづいて、以下に、第４実施形態のケーブル４００について、図１０を用いて説明する。なお、説明するに当たり、本実施形態のケーブル４００では第１実施形態のケーブル１００、第２実施形態のケーブル２００および第３実施形態のケーブル３００と共通の部材を使用しているため、共通の部材に関しては第１実施形態、第２実施形態および第３実施形態で用いた名称および符号を用いるとともに、詳細の説明は割愛する。
【００７８】
図１０は本実施形態のケーブル４００の構造を示す断面図である。
【００７９】
本実施形態のケーブル４００は、図１０に示すように、第３実施形態のケーブル３００の外周を磁性体シート１４０で被覆したものである。
【００８０】
以下、本実施形態としたことによる効果について説明する。
【００８１】
本実施形態のケーブル４００では、第３実施形態のケーブル３００の外周を磁性体シート１４０で被覆している。
【００８２】
これにより、ケーブルを伝わる信号に悪影響を及ぼすノイズに対して、さらに優れたノイズ抑制効果を有する紐状に形成されたケーブル４００を提供することができる。
【００８３】
以上のように、本発明の実施形態に係るケーブルを具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００８４】
（１）第１実施形態におけるケーブル１００および第２実施形態におけるケーブル２００において、芯線１１０およびノイズ抑制体１２０は並列にそれぞれが接触しないように配置されているが、それぞれが接触しない限り屈曲させて配置しても良い。
【００８５】
（２）第３実施形態におけるケーブル３００および第４実施形態におけるケーブル４００において、複数の芯線１１０および複数のノイズ抑制体１２０が円筒の外周に沿うように配置されたとき、その仮想の円筒の中心部は絶縁部１３０によって形成されているが、中心部にノイズ抑制体１２０を追加して配置しても良い。これにより、ケーブル３００およびケーブル４００を伝わる信号に対して悪影響を及ぼすノイズに対して、さらに優れたノイズ抑制効果を有する紐状に形成されたケーブルを提供できる。
（３）第３実施形態におけるケーブル３００および第４実施形態におけるケーブル４００において、複数の芯線１１０と複数のノイズ抑制体１２０とを同一円筒の外周に沿うように交互に配置しているが、楕円や多角形などの断面形状の筒の外周に沿うように交互に配置しても良い。また、必要に応じて複数の芯線１１０と複数のノイズ抑制体１２０とが接触しない範囲で円錐形状や多角錐形状の外周に沿うように複数の芯線１１０と複数のノイズ抑制体１２０とを交互に配置しても良い。
【符号の説明】
【００８６】
１００    ケーブル
１１０    芯線
１２０    ノイズ抑制体
１２０ａ  扁平状磁性粉末
１２０ｂ  合成樹脂材
１３０    絶縁部
１４０    磁性体シート
２００    ケーブル
３００    ケーブル
４００    ケーブル
【図１】
2014116071.tif 000003
【図２】
2014116071.tif 000004
【図３】
2014116071.tif 000005
【図４】
2014116071.tif 000006
【図５】
2014116071.tif 000007
【図６】
2014116071.tif 000008
【図７】
2014116071.tif 000009
【図８】
2014116071.tif 000010
【図９】
2014116071.tif 000011
【図１０】
2014116071.tif 000012
【図１１】
2014116071.tif 000013